(57)【要約】【課題】  消費電力を抑えながら、使い勝手の良い撮像装置および撮像装置の表示方法を提供する。【解決手段】撮影レンズ１１と、撮影レンズ１１を介して結像した被写体像を画像データに変換する撮像素子２１と、撮像素子２１で変換された画像データを表す画像を表示する液晶表示素子２３と、撮影レンズ１１の焦点距離を検出する焦点距離検出部５３と、被写体を観察するための撮影レンズ１１とは異なる光学ファインダ３２、３４と、光学ファインダが有する接眼レンズ３４を共用し、液晶表示素子２３に表示した画像を観察するための電子ファインダと、光学ファインダを介して観察者の目に導かれる被写体光の通過又は遮断を制御するシャッタ３１を有し、焦点距離が所定範囲外のときは、シャッタ３１を制御して被写体光を遮断することにより、液晶表示素子２３に表示した被写体の画像を観察者の目に導く。  【選択図】  図１
2009200552.tif 000002
【特許請求の範囲】
【請求項１】
撮影レンズと、
上記撮影レンズを介して結像した被写体像を画像データに変換する撮像部と、
上記撮像部で変換された上記画像データを表す画像又は上記撮影レンズの撮影範囲を表す視野枠を表示する表示部と、
上記撮影レンズの焦点距離を検出する焦点距離検出部と、
被写体を光学レンズを介して観察するための上記撮影レンズとは異なる第１ファインダと、
上記第１ファインダが有する接眼レンズを共用し、上記表示部に表示した画像を観察するための第２ファインダと、
上記第１ファインダを介して上記観察者の目に導かれる被写体光の通過又は遮断を制御するシャッタと、
上記焦点距離が第１の値よりも長いときは、上記シャッタを制御して上記被写体光を遮断することにより、上記表示部に表示した上記画像を観察者の目に導くためのシャッタ制御部と、
を備えたことを特徴とする撮像装置。
【請求項２】
上記シャッタ制御部は、さらに、上記焦点距離が第１の値以下のときは、上記シャッタを制御して上記被写体光束を通過させることにより、上記第１ファインダによる上記被写体の像及び上記第２ファインダによる上記視野枠の像を観察者の目に同時に導くことを特徴とする請求項１に記載の撮像装置。
【請求項３】
上記シャッタ制御部は、さらに、上記焦点距離が上記第１の値以下で且つ第２の値より長いときは、上記シャッタを制御して上記被写体光を通過させることにより、上記第１ファインダによる上記被写体の像及び上記第２ファインダによる上記視野枠の像を観察者の目に同時に導き、上記焦点距離が上記第２の値以下のときは、上記シャッタを制御して上記被写体光を遮断することにより、上記表示部に表示した上記画像を観察者の目に導くことを特徴とする請求項１に記載の撮像装置。
【請求項４】
上記焦点距離が上記第１の値よりも長いときに、撮影準備の指示がなされた場合には、上記第１ファインダから上記第２ファインダによる表示に切り換えることを特徴とする請求項１に記載の撮像装置。
【請求項５】
上記第１ファインダの光路中にハーフミラーを配置し、上記表示部よる上記視野枠を、上記第１ファインダによって形成される被写体像に重畳させることを特徴とする請求項１に記載の撮像装置。
【請求項６】
上記第１ファインダを実像式光学ファインダで構成し、この第１ファインダの結像位置近傍に上記表示部を配置したことを特徴とする請求項１に記載の撮像装置。
【請求項７】
上記シャッタのカメラ本体側に、上記表示部の照明用の照明素子を配置したことを特徴とする請求項６に記載の撮像装置。
【請求項８】
撮影レンズの焦点距離を検出し、
上記焦点距離が所定範囲内の場合には、ファインダ光学系に被写体光束を入射させ、被写体像を光学的に観察させる光学ファインダに切り換え、
上記焦点距離が所定範囲外の場合には、上記撮影レンズによって結像した被写体像を撮像素子によって取得した画像データを表示部に表示させ、この表示部に表示した被写体像を上記光学ファインダの光路を介して観察させる電子ファインダに切り換える、
ことを特徴とする撮像装置の表示方法。
【請求項９】
上記焦点距離が所定範囲内の場合、上記光学ファインダで表示中に撮影準備の指示がなされた場合には、上記電子ファインダに切り換えることを特徴とする請求項８に記載の撮像装置の表示方法。
【請求項１０】
撮影レンズと、
上記撮影レンズを介して結像した被写体像を画像データに変換する撮像部と、
上記撮像部で変換された上記画像データを表す画像を表示する表示部と、
被写体を光学レンズを介して観察するための上記撮影レンズとは異なる第１ファインダと、
上記第１ファインダが有する接眼レンズを共用し、上記表示部に表示した画像を観察するための第２ファインダと、
撮影準備状態を指示する操作部材と、
上記操作部材の操作により上記撮影準備状態が指示されたときに、上記被写体光を上記第１ファインダへの入射を遮断し、上記表示部に表示した上記画像を観察者の目に導く制御部と、
を備えたことを特徴とする撮像装置。
【請求項１１】
上記撮影レンズの焦点距離を検出する焦点距離検出部を有し、上記制御部は、上記焦点距離が所定範囲外であることが判定された場合には、上記被写体光を上記第１ファインダへの入射を遮断し、上記表示部に表示した上記画像を観察者の目に導くことを特徴とする請求項１０に記載の撮像装置。
【請求項１２】
撮影準備状態が指示されたかを判定し、
上記撮影準備状態が指示されていない場合には、ファインダ光学系に被写体光束を入射させ、被写体像を光学的に観察させる光学ファインダに切り換え、
上記撮影準備状態が指示された場合には、撮影レンズによって結像した被写体像を撮像素子によって取得した画像データを表示部に表示させ、この表示部に表示した被写体像を上記光学ファインダの光路を介して観察させる電子ファインダに切り換える、
ことを特徴とする撮像装置の表示方法。
【発明の詳細な説明】
【技術分野】
【０００１】
本発明は、撮像装置および撮像方法に関し、詳しくは光学ファインダと電子ファインダを有する撮像装置および撮像装置の表示方法に関する。
【背景技術】
【０００２】
近年、カメラ等の撮像装置において、被写体像を観察するためのファインダとしては、光学ファインダと電子ファインダのいずれかが用いられている。光学ファインダは、撮影レンズまたはファインダ専用のレンズを通して被写体像を観察する方式であり、電子ファインダは、撮影レンズ等によって結像された被写体像を撮像素子によって画像データを取得し、この画像データに基づく被写体像を表示装置で観察する方式である。
【０００３】
光学ファインダと電子ファインダは、それぞれ一長一短がある。そこで、特許文献１には、両ファインダを設け、撮影者の好みに応じて、光学ファインダと電子ファインダのいずれかに切り換えることのできるファインダが開示されている。
【特許文献１】特開平３−２９２０６７号公報
【発明の開示】
【発明が解決しようとする課題】
【０００４】
電子ファインダは、撮影レンズによって結像される被写体像を撮像素子によって取得した画像データに基づいて被写体像を表示することから、撮影レンズを長焦点距離に設定した場合でも、被写体像を観察しやすいという長所がある。しかし、電源消費が大きく、長時間に亘って使用することができない。一方、光学ファインダは電子ファインダに比較し鮮明な画像を観察することができるが、撮影レンズの焦点距離が長くなると、撮影範囲が狭くなり、撮影範囲の被写体像を認識しにくくなるという欠点がある。特許文献１に開示のファインダは、このような問題については考慮されていない。
【０００５】
本発明は、このような事情を鑑みてなされたものであり、消費電力を抑えながら、使い勝手の良い撮像装置および撮像装置の表示方法を提供することを目的とする。
【課題を解決するための手段】
【０００６】
上記目的を達成するため第１の発明に係わる撮像装置は、撮影レンズと、上記撮影レンズを介して結像した被写体像を画像データに変換する撮像部と、上記撮像部で変換された上記画像データを表す画像又は上記撮影レンズの撮影範囲を表す視野枠を表示する表示部と、上記撮影レンズの焦点距離を検出する焦点距離検出部と、被写体を光学レンズを介して観察するための上記撮影レンズとは異なる第１ファインダと、上記第１ファインダが有する接眼レンズを共用し、上記表示部に表示した画像を観察するための第２ファインダと、上記第１ファインダを介して上記観察者の目に導かれる被写体光の通過又は遮断を制御するシャッタと、上記焦点距離が第１の値よりも長いときは、上記シャッタを制御して上記被写体光を遮断することにより、上記表示部に表示した上記画像を観察者の目に導くためのシャッタ制御部と、を備える。
【０００７】
第２の発明に係わる撮像装置は、上記第１の発明において、上記シャッタ制御部は、さらに、上記焦点距離が第１の値以下のときは、上記シャッタを制御して上記被写体光束を通過させることにより、上記第１ファインダによる上記被写体の像及び上記第２ファインダによる上記視野枠の像を観察者の目に同時に導く。
また、第３の発明に係わる撮像装置は、上記第１の発明において、上記シャッタ制御部は、さらに、上記焦点距離が上記第１の値以下で且つ第２の値より長いときは、上記シャッタを制御して上記被写体光を通過させることにより、上記第１ファインダによる上記被写体の像及び上記第２ファインダによる上記視野枠の像を観察者の目に同時に導き、上記焦点距離が上記第２の値以下のときは、上記シャッタを制御して上記被写体光を遮断することにより、上記表示部に表示した上記画像を観察者の目に導く。
【０００８】
さらに、第４の発明に係わる撮像装置は、上記第１の発明において、上記焦点距離が上記第１の値よりも長いときに、撮影準備の指示がなされた場合には、上記第１ファインダから上記第２ファインダによる表示に切り換える。
さらに、第５の発明に係わる撮像装置は、上記第１の発明において、上記第１ファインダの光路中にハーフミラーを配置し、上記表示部よる上記視野枠を、上記第１ファインダによって形成される被写体像に重畳させる。
【０００９】
さらに、第６の発明に係わる撮像装置は、上記第１の発明において、上記第１ファインダを実像式光学ファインダで構成し、この第１ファインダの結像位置近傍に上記表示部を配置する。
さらに、第７の発明に係わる撮像装置は、上記第６の発明において、上記シャッタのカメラ本体側に、上記表示部の照明用の照明素子を配置する。
【００１０】
第８の発明に係わる撮像装置の表示方法は、撮影レンズの焦点距離を検出し、上記焦点距離が所定範囲内の場合には、ファインダ光学系に被写体光束を入射させ、被写体像を光学的に観察させる光学ファインダに切り換え、上記焦点距離が所定範囲外の場合には、上記撮影レンズによって結像した被写体像を撮像素子によって取得した画像データを表示部に表示させ、この表示部に表示した被写体像を上記光学ファインダの光路を介して観察させる電子ファインダに切り換える。
【００１１】
第９の発明に係わる撮像装置の表示方法は、上記第８の発明において、上記焦点距離が所定範囲内の場合、上記光学ファインダで表示中に撮影準備の指示がなされた場合には、上記電子ファインダに切り換える。
【００１２】
第１０の発明に係わる撮像装置は、撮影レンズと、上記撮影レンズを介して結像した被写体像を画像データに変換する撮像部と、上記撮像部で変換された上記画像データを表す画像を表示する表示部と、被写体を光学レンズを介して観察するための上記撮影レンズとは異なる第１ファインダと、上記第１ファインダが有する接眼レンズを共用し、上記表示部に表示した画像を観察するための第２ファインダと、撮影準備状態を指示する操作部材と、上記操作部材の操作により上記撮影準備状態が指示されたときに、上記被写体光を上記第１ファインダへの入射を遮断し、上記表示部に表示した上記画像を観察者の目に導く制御部と、を備える。
【００１３】
第１１の発明に係わる撮像装置は、上記第１０の発明において、上記撮影レンズの焦点距離を検出する焦点距離検出部を有し、上記制御部は、上記焦点距離が所定範囲外であることが判定された場合には、上記被写体光を上記第１ファインダへの入射を遮断し、上記表示部に表示した上記画像を観察者の目に導く。
【００１４】
第１２の発明に係わる撮像装置の表示方法は、撮影準備状態が指示されたかを判定し、上記撮影準備状態が指示されていない場合には、ファインダ光学系に被写体光束を入射させ、被写体像を光学的に観察させる光学ファインダに切り換え、上記撮影準備状態が指示された場合には、撮影レンズによって結像した被写体像を撮像素子によって取得した画像データを表示部に表示させ、この表示部に表示した被写体像を上記光学ファインダの光路を介して観察させる電子ファインダに切り換える。
【発明の効果】
【００１５】
本発明によれば、消費電力を抑えながら、使い勝手の良い撮像装置および撮像装置の表示方法を提供することができる。
【発明を実施するための最良の形態】
【００１６】
以下、図面に従って本発明を適用した撮像装置を用いて好ましい実施形態について説明する。本発明の第１実施形態に係る撮像装置は、いわゆるコンパクトタイプのデジタルカメラであり、このデジタルカメラは、撮影レンズによって結像された被写体像を撮像素子によって光電変換し、この光電変換信号に基づく画像データを記録媒体に記録可能である。また、撮影レンズとは別にファインダ用の光学系を有し、このファインダ光学系によって被写体像を観察することができる。さらに、撮像素子によって取得した画像データに基づく画像をファインダにおいて観察することができる。
【００１７】
以下、第１実施形態に係わるデジタルカメラについて詳述する。図１は、本発明の第１実施形態に係わるデジタルカメラを一部透視した平面図である。このデジタルカメラは、レンズ鏡筒１０とカメラ本体２０から構成されている。レンズ鏡筒１０内には、変倍レンズ（ズームレンズ）で構成された撮影レンズ１１が配置されている。
【００１８】
撮影レンズ１１は被写体を結像するための光学系であり、この撮影レンズ１１を保持するためのレンズ鏡筒１０は交換式であり、カメラ本体２０に対して着脱自在である。なお、本実施形態においては、レンズ鏡筒１０は交換レンズタイプのズームレンズであるが、固定焦点の交換レンズでもよく、またカメラ本体２０と一体に構成されたズームレンズでも良い。撮影レンズ１１の焦点距離情報は、カメラ本体２０に伝達される。
【００１９】
撮影レンズ１１の光路上のカメラ本体２０内であって、撮影レンズ１１によって被写体像が結像される位置に撮像素子２１が配置されている。撮像素子２１としては、ＣＭＯＳ（Complementary Metal Oxide Semiconductor）やＣＣＤ（Charge Coupled Device）等の二次元光電変換素子が用いられる。この撮像素子２１によって光電変換された画像は、後述する液晶表示素子２３に表示され、また、レリーズ操作に応じて取得された画像データは記録媒体に記録される。
【００２０】
カメラ本体２０の前面側には、ファインダ窓を覆う位置（図１の（ア）の位置）と退避位置（（イ）の位置）の間で摺動可能なファインダ用のシャッタ３１が配置されている。このシャッタ３１は、図示しないモータ等によって摺動自在に駆動される。カメラ本体２０内であって、ファインダ窓の近傍には、ファインダ用の対物レンズ３２が配置されている。また、カメラ本体２０の背面側の接眼部には、接眼レンズ３４が配置されている。
【００２１】
対物レンズ３２および接眼レンズ３４によって、いわゆるアルバタ式のファインダ光学系を構成する。なお、ファインダ光学系としては、アルバタ式のような虚像を観察するファインダ以外にも実像ファインダ光学系を採用しても勿論かまわない。接眼レンズ３４の後方であって、撮影者の目Ｅの位置からファインダ光学系を見ると、被写体像を観察することができる。
【００２２】
対物レンズ３２と接眼レンズ３４の間であって、ファインダ光路に対して４５度の角度をなすように偏光ハーフミラー３３が配置されている。この偏光ハーフミラー３３は、対物レンズ３２を通過した被写体光束を通過させると共に、後述する液晶表示素子２３の画像を接眼レンズ３４側に反射する。
【００２３】
対物レンズ３２によるファインダ光路に対して直交する光路上にレンズ３５が配置されている。このレンズ３５の光路上であって後方には、液晶表示素子２３が配置されている。液晶表示素子２３には、前述した撮像素子２１によって取得された画像が表示される。なお、図示しないが、この液晶表示素子２３の背面には照明用のバックライトが配置されている。
【００２４】
液晶表示素子２３による被写体像は、レンズ３５によって集光され、偏光ハーフミラー３３によって反射され、接眼レンズ３４を通り、撮影者の目Ｅによって観察することができる。液晶表示素子２３には、偏光フィルタが設けられており、この偏光フィルタの偏光方向と偏光ハーフミラー３３の偏光方向を一致させておくと、光量のロスがない。なお、偏光ハーフミラー３３に代えて、通常のハーフミラーを配置しても良い。
【００２５】
次に、本実施形態におけるファインダの表示について説明する。図２は撮影者の目Ｅからみたファインダ表示４０を示し、（ａ）は撮影レンズ１１の焦点距離（以下、「焦点距離」の数値は３５ｍｍフィルム換算で表記する）が２８ｍｍの場合の光学ファインダの表示を示し、（ｂ）は焦点距離が５０ｍｍの場合の光学ファインダの表示を示し、（ｃ）は焦点距離が２００ｍｍの場合における光学ファインダでの表示を示し、（ｄ）は焦点距離が２００ｍｍにおける電子ファインダでの表示を示し、（ｅ）は焦点距離が１８ｍｍの場合における光学ファインダでの表示を示し、（ｆ）は焦点距離が１８ｍｍにおける電子ファインダでの表示を示す。
【００２６】
まず、所定焦点距離の範囲においては、ファインダ用のシャッタ３１はファインダ窓から退避した位置にあり（図１の（イ）の位置）、被写体光束は対物レンズ３２、偏光ハーフミラー３３、接眼レンズ３４を通り、撮影者は被写体像を観察することができる。この場合、本実施形態における光学ファインダ系は固定焦点であるため、撮影レンズ１１の焦点距離が変更しても、これに連動してファインダ光学系によって形成される像は変化しない。
【００２７】
そこで、撮影レンズ１１の焦点距離に応じて、液晶表示素子２３は画枠４１の像を形成し、偏光ハーフミラー３３において、被写体像に画枠４１を重畳させ、図２（ａ）（ｂ）に示すように表示する。画枠４１の中が撮影範囲であり、焦点距離が長焦点距離側に変更されると、画枠４１は図２（ｂ）に示すように小さくなる。
【００２８】
撮影レンズ１１の焦点距離が、例えば、２００ｍｍ程度の長焦点側に変化すると、画枠４１は図２（ｃ）に示すように非常に小さくなり、撮影される画像の詳細を観察することができなくなる。そこで、本実施形態においては、図２（ｄ）に示すように、光学ファインダから電子ファインダに自動的に切り替えを行う。
【００２９】
電子ファインダへの切り替えは、まず、ファインダ用のシャッタ３１を、ファインダ窓を覆う位置（図１の（ア）の位置）に移動させ、被写体光束がファインダ光学系に入射するのを遮断する。撮像素子２１を駆動し、それによって取得された被写体の画像を液晶表示素子２３に表示させ、この被写体画像を偏光ハーフミラー３３によって反射させ、接眼レンズ３３を通して射出させる。これによって、被写体像を光学ファインダに対し拡大して観察することができ、便利である。
【００３０】
撮影レンズ１１の焦点距離が短焦点側に変化すると、対物レンズ３２、接眼レンズ３４によるファインダ光学系の短焦点側を超えるため、図２（ｅ）に示すように全範囲を示すことができなくなる。そこで、本実施形態においては、図２（ｆ）に示すように、長焦点の場合と同様にして、光学ファインダから電子ファインダに自動的に切り替えを行う。これによって、撮影範囲の全範囲を観察することができ、便利である。
【００３１】
このように、本発明の第１実施形態においては、撮影レンズ１１が所定の焦点距離の範囲においては、光学ファインダによって被写体像を観察し、所定の焦点距離の範囲外となると、電子ファインダによって被写体像を観察するように、自動的に切り換えている。このため、消費電力を抑えながら、使い勝手の良い撮像装置とすることができる。すなわち、光学ファインダで観察し難い長焦点側や短焦点側では電子ファインダで撮影される通りの画像を観察することができ、これ以外の場合には、光学ファインダで観察することにより消費電力が抑えられる。
【００３２】
次に、本発明の第２実施形態について、図３乃至図６を用いて説明する。図３は、本発明の第２実施形態に係わるデジタルカメラを一部透視した平面図である。図１と同一の部材については、同一の符号を付し、詳細な説明は省略する。
【００３３】
ファインダ用のシャッタ３１Ａは、ファインダ窓を覆う位置（図３の（ア）の位置）と、退避した位置（（イ）の位置）の間を摺動する点は、第１実施形態と同様である。このシャッタ３１Ａの裏面、すなわち、対物レンズ３２側には、照明用の白色ＥＬ（エレクトロルミネセンス：Electroluminescence）素子を設けている。なお、照明用として使用できれば白色ＥＬ以外の発光素子でも勿論かまわない。
【００３４】
対物レンズ３２の後方の光路上には、変倍光学系３６を配置し、光学ファインダによる被写体像の観察にあたって、撮影レンズ１１のズーミングに応じて変倍した被写体像を表示するようにしている。ただし、この変倍光学系３６による変倍範囲は、全てのレンズ鏡筒１０の焦点距離に対応できる必要はない。
【００３５】
変倍光学系３６の後方には、プリズム３７、３８が配置されており、対物レンズ３２による光路を曲げる。また、プリズム３７、３８の間には、液晶表示素子２５が配置されている。プリズム３８によって反射された被写体光束は、接眼レンズ３４を介して、撮影者の目Ｅに射出する。
【００３６】
本実施形態におけるファインダ光学系は、実像式であり、ファインダ光学系の結像位置付近に液晶表示素子２５が配置されている。このため、第１実施形態と同様に、液晶表示素子２５に画枠４１を表示させると、対物レンズ３２を通過した被写体像に、画枠４１が重畳して表示される。なお、この画枠４１は、撮影レンズ１１の焦点距離と変倍光学系３６を考慮して決定される。
【００３７】
また、撮影レンズ１１が所定範囲の焦点距離以外に設定されている場合には、第１実施形態と同様に、シャッタ３１Ａがファインダ窓を覆う位置に移動し、光学ファインダから電子ファインダに切り替えがなされる。
【００３８】
次に、本実施形態における電気的構成について、図４に示すブロック図を用いて説明する。レンズ鏡筒１０にはズーミングを指示するための操作部５１が設けられ、この操作部５１の操作量は、レンズＣＰＵ５２伝達される。レンズＣＰＵ５２は、カメラ本体２０内のカメラＣＰＵ６１の指示の元に、レンズ鏡筒１０の全体制御行う。
【００３９】
レンズ駆動状態検出部５３は、レンズＣＰＵ５２の指示の下に撮影レンズ１１の駆動を行うと共に、撮影レンズ１１の焦点距離や撮影距離等の情報を検出し、レンズＣＰＵ５２に送信する。レンズＣＰＵ５２は、焦点距離等の情報をカメラＣＰＵ６１に送信する。
【００４０】
カメラ本体２０内の撮像部６５は撮像素子２１を含み、カメラＣＰＵ６１の制御の下で撮像素子２１から被写体像の光電変換信号を読み出し、画像処理部６６に出力する。画像処理部６６は、読み出された光電変換信号について、γ補正、ホワイトバランス、色補正等の種々の画像処理を行う。画像処理部６６内には、ＡＦ検出部６７が設けられており、ＡＦ検出部６７は、光電変換信号の高周波成分を抽出し、この高周波成分がピークとなるように撮影レンズ１１を制御する所謂コントラストＡＦによって焦点検出を行う。
【００４１】
表示部６８は画像処理部６６の出力に接続されており、液晶表示素子２５を含む。前述したように、液晶表示素子２５には、撮像素子２１で取得した光電変換信号による画像が表示される。メモリカード６９も画像処理部６６の出力に接続されており、画像処理部６６によって圧縮処理された画像データをレリーズ釦の操作に応じて記録する。なお、メモリカード６９は、電気的に書き換え可能な不揮発性メモリで構成される。
【００４２】
操作部７１は、レリーズ釦、撮影モードダイヤル等、撮影者によって操作される操作部材である。ファインダシャッタ駆動部７２は、シャッタ３１Ａを摺動させるための駆動部であり、モータ等によって構成される。
【００４３】
カメラＣＰＵ６１は、ＣＰＵ（Central Processing Unit）によって構成されており、前述のレンズＣＰＵ５２、撮像部６５、画像処理部６６、表示部６８、メモリカード６９、操作部７１、およびファインダシャッタ駆動部７２に接続され、これらから情報を入力すると共にこれらの制御を行う。
【００４４】
カメラＣＰＵ６１は、レンズ状態検出部およびレンズ駆動部６２の機能を果たしており、レンズ状態検出部はレンズＣＰＵ５２から送信されてくる焦点距離情報や撮影距離情報等に基づいて撮影レンズ１１の状態を検出する。またレンズ駆動部は、ＡＦ検出部６７とレンズ駆動状態検出部５３の出力に基づいて、撮影レンズ１１を合焦位置に駆動する等のレンズ駆動制御を行う。
【００４５】
また、レンズＣＰＵ６１は、表示制御部６３の機能も果たす。すなわち、レンズＣＰＵ５２から送信されてくる撮影レンズ１１の焦点距離情報に基づいて、所定焦点距離の範囲内の場合にはシャッタ３１Ａを開放し、表示部６８に画枠４１を表示させる。また、所定焦点距離の範囲外の場合には、シャッタ３１Ａを閉じ、表示部６８に撮像部６５で取得した画像を表示させる。
【００４６】
次に、このように構成された本実施形態の動作について、図５および図６に示すフローチャートを用いて説明する。カメラ本体２０のパワースイッチがオンされると、図５に示すフローがスタートする。まず、図示しない電源電池から各電気回路に電源が供給され、リセット動作がなされる（Ｓ１）。
【００４７】
続いて、レンズ駆動状態検出部５３によって検出された撮影レンズ１１の焦点距離をｆ１として記憶する（Ｓ３）。次に、この焦点距離ｆ１が、短焦点側所定焦点距離ｘと長焦点側所定焦点距離ｙの間の焦点距離か否かの判定を行う（Ｓ５）。ここで所定焦点距離ｘ、ｙは、光学ファインダから電子ファインダに切り換える焦点距離であり、予め設計事項として決めておく。
【００４８】
ステップＳ５における判定の結果、焦点距離ｆ１が所定範囲内にある場合には、光学ファインダにより被写体像を観察するために、ファインダ用のシャッタ３１Ａを開き、対物レンズ３２を通して被写体光束をファインダ光学系に導く（Ｓ３１）。続いて、液晶表示素子２５に、撮影レンズ１１の焦点距離ｆ１に合わせて画枠４１を表示する（Ｓ３３）。これにより、ファインダ内には、図２（ａ）（ｂ）に示したように、被写体像に重畳して画枠４１が表示され、撮影者は撮像範囲を認識することができる。
【００４９】
画枠４１を表示すると、次に、レリーズ釦の半押しに応じてオンとなるスイッチＳ１（以下、Ｓ１と省略する）がオンか否かの判定を行う（Ｓ３５）。ステップＳ３５における判定の結果、オフであった場合には、撮影レンズ１１の焦点距離を検出し、変化したか否かを判定する（Ｓ５１）。ステップＳ５１における判定の結果、変化していない場合には、ステップＳ３５に戻る。一方、ステップＳ５１における判定の結果、変化していた場合には、焦点距離ｆ３を記憶し、この焦点距離ｆ３が、短焦点側所定焦点距離ｘと長焦点側所定焦点距離ｙの間の焦点距離か否かの判定を行う（Ｓ５３）。
【００５０】
ステップＳ５３における判定の結果、所定範囲内にあった場合には、ステップＳ３３に戻り、新たな焦点距離ｆ３に合わせて、画枠４１を表示する。一方、ステップＳ５３における判定の結果、所定範囲外にあった場合には、撮像素子２１の駆動を開始する（Ｓ５５）。すなわち、電子ファインダによる被写体像表示の準備を行う。撮像素子２１の駆動を開始すると、ステップＳ９にジャンプする。
【００５１】
ステップＳ３５における判定の結果、レリーズ釦の半押しがなされた場合、すなわち、Ｓ１がオンとなった場合には、ステップＳ５５と同様に、撮像素子２１の駆動を開始する（Ｓ３７）。続いて、液晶表示素子２５に撮像画像の表示を開始し（Ｓ３９）、シャッタ３１Ａを閉じる（Ｓ４１）。これによって、対物レンズ３２から入射していた被写体光束が遮断され、液晶表示素子２５に表示された撮像画像を、接眼レンズ３４を通して観察することができる。
【００５２】
続いて、ＡＦ動作を開始し合焦駆動を行う（Ｓ４３）。このステップでは、ＡＦ検出部６７の検出出力に基づいて撮影レンズ１１が合焦位置となるように自動焦点調節を行う。合焦すると、次に、レリーズ釦の全押しに応じてオンとなるスイッチＳ２（以下、Ｓ２と省略する）がオンか否かの判定を行う（Ｓ４５）。
【００５３】
ステップＳ４５における判定の結果、Ｓ２がオフであった場合には、Ｓ１がオフか否か判定し（Ｓ５７）、Ｓ１がオンの場合にはステップＳ４５に戻り、Ｓ１がオフの場合には、撮像素子２１の駆動を停止し（Ｓ５９）、ステップＳ３１に戻る。Ｓ１がオフとなった場合には、電子ファインダから光学ファインダに切り換えている。
【００５４】
ステップＳ４５における判定の結果、Ｓ２がオンであった場合には、撮影動作と記録動作を行う（Ｓ４７）。このステップでは、撮影レンズ１１によって結像された被写体像を撮像部６５の撮像素子２１によって光電変換し、画像信号を取得する。ここで得た画像信号は画像処理部６６において画像処理した後、メモリカード６９に記録する。
【００５５】
撮影・記録動作が終わると、パワースイッチがオフされていない等に基づいて、次の撮影があるか否かを判定する（Ｓ４９）。判定の結果、次の撮影がある場合には、ステップＳ５１にジャンプし、一方、次の撮影がない場合には、ステップＳ２１にジャンプし、電源をオフしたのち、フローを終了する。
【００５６】
ステップＳ５における判定の結果、撮影レンズ１１の焦点距離ｆ１が、短焦点側所定焦点距離ｘと長焦点側所定焦点距離ｙの間になかった場合、すなわち、所定範囲外であった場合には、光学ファインダではなく、電子ファインダによって被写体像を表示する。
【００５７】
電子ファインダによる表示を行うため、撮像素子２１の駆動を開始し（Ｓ７）、液晶表示素子２５に撮像素子２１によって取得した撮像画像の表示を開始する（Ｓ９）。ステップＳ９において、シャッタ３１Ａが開放されている場合には、シャッタ３１Ａの閉じ駆動を行う。これによって、対物レンズ３２から入射していた被写体光束が遮断され、液晶表示素子２５に表示された撮像画像を、接眼レンズ３４を通して観察することができる。
【００５８】
電子ファインダで被写体像を表示すると、続いて、Ｓ１がオンか否かの判定を行う（Ｓ１１）。ステップＳ１１における判定の結果、オフであった場合には、撮影レンズ１１の焦点距離を検出し、変化したか否かを判定する（Ｓ２３）。ステップＳ２３における判定の結果、変化していない場合には、ステップＳ１１に戻る。一方、ステップＳ２３における判定の結果、変化していた場合には、焦点距離ｆ２を記憶し、この焦点距離ｆ２が、短焦点側所定焦点距離ｘと長焦点側所定焦点距離ｙの間の焦点距離か否かの判定を行う（Ｓ２５）。
【００５９】
ステップＳ２５における判定の結果、所定範囲外にあった場合には、ステップＳ１１に戻る。一方、ステップＳ２５における判定の結果、所定範囲内にあった場合には、撮像素子２１の駆動を停止する（Ｓ２７）。すなわち、電子ファインダによる被写体像表示を停止し、光学ファインダによる表示の準備を行う。撮像素子２１の駆動を停止すると、ステップＳ３１にジャンプする。
【００６０】
ステップＳ１１における判定の結果、Ｓ１がオンとなると、ステップＳ４３と同様にＡＦ開始・合焦動作を行う（Ｓ１３）。続いて、レリーズ釦が全押しされたか、すなわち、Ｓ２がオンとなったかを判定する（Ｓ１５）。ステップＳ１５における判定の結果、オフの場合には、ステップＳ２３にジャンプし、一方、Ｓ２がオンとなった場合には、ステップＳ４７と同様に、撮影・記録動作を行う（Ｓ１７）。
【００６１】
撮影・記録動作が終わると、次の撮影があるかを判定する（Ｓ１９）。ステップＳ１９における判定の結果、次の撮影が有る場合には、ステップＳ２３にジャンプし、一方、次の撮影がない場合には、電源をオフして（Ｓ２１）、このフローを終了する。
【００６２】
本実施形態のフローの説明において、変倍レンズ３６における焦点距離の変化について言及しなかったが、撮影レンズ１１に変倍レンズ３６が連動する範囲においては、画枠４１を表示せず、連動範囲外において撮影レンズ１１の焦点距離と変倍レンズ３６による焦点距離を考慮して、画枠４１の枠位置を決定し、液晶表示素子２５に表示すれば良い。
【００６３】
このように、本発明の各実施形態によれば、撮影レンズの焦点距離が所定範囲内にあれば（第２実施形態においては、Ｓ５→Ｓ３１）、光学ファインダによって被写体像を表示し（第２実施形態においてはＳ３１）、一方、焦点距離が所定範囲外にあると（第２実施形態においては、Ｓ５→Ｓ７）、電子ファインダによって、光学ファインダに被写体光束を導入しない状態で、撮像素子２１によって取得した被写体像を液晶表示素子２５によって表示している。このため、消費電力を抑えながら、使い勝手の良い撮像装置とすることができる。
【００６４】
また、レリーズ釦の半押しに応じて撮影準備状態となると（Ｓ３５→Ｓ３７）、光学ファインダで被写体像を表示している状態であっても、電子ファインダに切り換えている。すなわち、電子ファインダは、パララックスの影響がなく、また視野率が高いことから、撮影のためのフレーミングを行う場合には都合が良い。また、最近の撮像素子では、ＶＧＡ規格での読み出し速度は高速であることから、被写体が移動している場合でも十分追従することができる。さらに、レリーズ釦が半押しされる以前から電子ファインダによる表示を行う場合に比較し、電源の消耗を防止することができる。
【００６５】
なお、電子ファインダによる被写体像の表示を行うためのステップＳ３９、Ｓ４１は省略することができる。すなわち、焦点距離が所定範囲内にある場合には、レリーズ釦の半押し動作がなされた場合でも、電子ファインダに切り換えることなく、光学ファインダによる表示を続行するようにしても良い。
【００６６】
また、焦点距離に係わらず、光学ファインダで被写体像の表示を行い、レリーズ釦の半押し操作等、撮影準備状態になった際に、電子ファインダに切り換えるようにしても良い。この場合でも、電源消耗を防止し、使い勝手よい撮像装置を提供することができる。
【００６７】
すなわち、電子ファインダは、撮影レンズによって結像される被写体像を撮像素子によって取得した画像データに基づいて被写体像を表示することから、撮影レンズが近距離にピントがあった状態でもパララッスクの影響を受けず、また視野率が高いという長所がある。しかし、電源消費が大きく、長時間に亘って使用することができない。一方、光学ファインダは電子ファインダに比較し鮮明な画像を観察することができるが、撮影レンズのピントが近距離の場合にはパララックスの影響を受け、また視野率が低いという欠点がある。前述の特許文献１に開示のファインダは、このような問題については考慮されていなかったが、本実施形態では、この問題を解決することができる。
【００６８】
また、本発明の各実施形態においては、シャッタ３１、３１Ａはカメラ本体２０の前面に摺動するように配置したが、ファインダ光学系の光路中であって、図１の偏光ハーフミラー３３や、図３における液晶表示素子２５より対物レンズ３２側の位置で、摺動・回動等によってファインダ光を遮断するようにしてもよく、また透過率を制御できる液晶シャッタ等を配置するようにしてもよい。
【００６９】
また、本発明の各実施形態においては、デジタルカメラを用いて説明したが、デジタルカメラ以外にも、携帯電話や携帯情報端末（ＰＤＡ  Personal Digital Assist）等に内蔵される撮像装置でも勿論構わない。
【００７０】
なお、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００７１】
【図１】本発明の第１実施形態に係わるデジタルカメラを一部透視した平面図である。
【図２】本発明の第１実施形態に係わるデジタルカメラにおけるファインダ表示を示し、（ａ）は撮影レンズの焦点距離が２８ｍｍの場合、（ｂ）は焦点距離が５０ｍｍの場合、（ｃ）は焦点距離が２００ｍｍの場合における光学ファインダでの表示を示し、（ｄ）は焦点距離が２００ｍｍにおける電子ファインダでの表示を示し、（ｅ）は焦点距離が１８ｍｍの場合における光学ファインダでの表示を示し、（ｆ）は焦点距離が１８ｍｍにおける電子ファインダでの表示を示す。
【図３】本発明の第２実施形態に係わるデジタルカメラを一部透視した平面図である。
【図４】本発明の第２実施形態に係わるデジタルカメラの電気的構成を示すブロック図である。
【図５】本発明の第２実施形態に係わるデジタルカメラの動作を示すフローチャートである。
【図６】本発明の第２実施形態に係わるデジタルカメラの動作を示すフローチャートである。
【符号の説明】
【００７２】
１０・・・レンズ鏡筒、１１・・・撮影レンズ、２０・・・カメラ本体、２１・・・撮像素子、２３・・・液晶表示素子、２５・・・液晶表示素子、３１・・・シャッタ、３１Ａ・・・シャッタ、３２・・・対物レンズ、３３・・・偏光ハーフミラー、３４・・・接眼レンズ、３５・・・レンズ、３６・・・変倍光学系、３７・・・プリズム、３８・・・プリズム、４０・・・ファインダ表示、４１・・・画枠、５１・・・操作部、５２・・・レンズＣＰＵ、５３・・・レンズ駆動状態検出部、６１・・・カメラＣＰＵ、６２・・・レンズ状態検出部・レンズ駆動部、６３・・・表示制御部、７１・・・操作部、７２・・・ファインダシャッタ駆動部
【図１】
2009200552.tif 000003
【図２】
2009200552.tif 000004
【図３】
2009200552.tif 000005
【図４】
2009200552.tif 000006
【図５】
2009200552.tif 000007
【図６】
2009200552.tif 000008